(57)【要約】【課題】送信装置および受信装置の小型化、軽量化および低コスト化を図る。【解決手段】無線通信システム１は、無線送信装置１０と無線受信装置５０を備え、無線送信装置１０は、情報を含む信号を生成して、前記信号を電磁波と超音波による同一の周波数で並行に送信し、無線受信装置５０は、無線送信装置１０から送信される前記電磁波と前記超音波の少なくとも１つから前記信号を抽出し、前記抽出した信号に含まれる前記情報を取得して出力する。【選択図】図１
2009225423.tif 000002
【特許請求の範囲】
【請求項１】
送信装置と受信装置とを備える無線通信システムであって、
送信装置は、情報を含む信号を生成して、前記信号を電磁波と超音波による同一の周波数で並行に送信し、
受信装置は、前記送信装置から送信される前記電磁波と前記超音波の少なくとも１つから前記信号を抽出し、前記抽出した信号に含まれる前記情報を取得することを特徴とする無線通信システム。
【請求項２】
請求項１に記載の無線通信システムにおいて、
前記送信装置は、生成した前記信号を２つの信号に分配し、一方の前記信号を前記電磁波で送信すると共に、他方の前記信号を前記超音波で送信し、
前記受信装置は、前記電磁波で送信される一方の前記信号と、前記超音波で送信される他方の前記信号とを合成し、前記合成した信号に含まれる前記情報を取得することを特徴とする無線通信システム。
【請求項３】
送信装置と受信装置とを備える無線通信システムであって、
送信装置は、
入力される情報に基づく入力信号を生成する入力部と、
前記入力信号に所定の変調を施して変調信号を生成する変調部と、
前記変調信号を増幅して所定の周波数を有する高周波信号を生成する送信部と、
前記高周波信号を２つに分配する分配部と、
前記分配した一方の高周波信号を、所定の周波数の電磁波に変換して放射するアンテナ部と、
前記分配した他方の高周波信号を、前記所定の周波数の超音波に変換して放射する圧電素子部と、を備え、
受信装置は、
前記所定の周波数の電磁波を受けて１の高周波信号に変換するアンテナ部と、
前記所定の周波数の超音波を受けて２の高周波信号に変換する圧電素子部と、
前記１の高周波信号と前記２の高周波信号とを合成して合成信号を生成する合成部と、
前記合成信号から変調信号を抽出する受信部と、
前記抽出した変調信号を復調して前記入力信号を取得する復調部と、
前記取得した入力信号が含む前記情報を出力する出力部と、を備えることを特徴とする無線通信システム。
【請求項４】
請求項３に記載の無線通信システムにおいて、
前記分配部と前記アンテナ部との間、前記分配部と前記圧電素子部との間、前記合成部と前記アンテナ部との間および前記合成部と前記圧電素子部との間の少なくとも１つに、
インピーダンスを整合する整合部を備えることを特徴とする無線通信システム。
【請求項５】
請求項３乃至４のいずれかに記載の無線通信システムにおいて、
前記送信装置および前記受信装置の少なくとも１つの前記アンテナ部と前記圧電素子部は、防水処理された第１の筐体に収容されて成ることを特徴とする無線通信システム。
【請求項６】
請求項５に記載の無線通信システムにおいて、
前記第１の筐体は、前記送信装置および前記受信装置の少なくとも１つを収容する第２の筐体と連結されて成ることを特徴とする無線通信システム。
【請求項７】
入力される情報に基づく入力信号を生成する入力部と、
前記入力信号に所定の変調を施して変調信号を生成する変調部と、
前記変調信号を増幅して高周波信号を生成する送信部と、
前記高周波信号を２つに分配する分配部と、
前記分配した一方の高周波信号を、所定の周波数の電磁波に変換して放射するアンテナ部と、
前記分配した他方の高周波信号を、前記所定の周波数の超音波に変換して放射する圧電素子部と、を備えることを特徴とする送信装置。
【請求項８】
入力される情報に基づく入力信号を生成する入力部と、
前記入力信号に所定の変調を施して変調信号を生成する変調部と、
前記変調信号を２つに分配する分配部と、
前記分配した一方の変調信号を増幅して１の高周波信号を生成する電磁波送信部と、
前記分配した他方の変調信号を増幅して２の高周波信号を生成する超音波送信部と、
前記１の高周波信号を、所定の周波数の電磁波に変換して放射するアンテナ部と、
前記２の高周波信号を、前記所定の周波数の超音波に変換して放射する圧電素子部と、
を備えることを特徴とする送信装置。
【請求項９】
入力される情報に基づいて生成された入力信号が変調され、同一の周波数で送信される電磁波と超音波のうち、前記電磁波を受けて１の高周波信号に変換するアンテナ部と、
前記超音波を受けて２の高周波信号に変換する圧電素子部と、
前記１の高周波信号と前記２の高周波信号とを合成して合成信号を生成する合成部と、
前記合成信号から変調信号を抽出する受信部と、
前記抽出した変調信号を復調して前記入力信号を取得する復調部と、
前記取得した入力信号が含む前記情報を出力する出力部と、を備えることを特徴とする受信装置。
【請求項１０】
入力される情報に基づいて生成された入力信号が変調され、同一の周波数で送信される電磁波と超音波のうち、前記電磁波を受けて１の高周波信号に変換するアンテナ部と、
前記超音波を受けて２の高周波信号に変換する圧電素子部と、
前記１の高周波信号から１の変調信号を抽出する電磁波受信部と、
前記２の高周波信号から２の変調信号を抽出する超音波受信部と、
前記１の変調信号と前記２の変調信号とを合成して合成変調信号を生成する合成部と、
前記合成変調信号を復調して前記入力信号を取得する復調部と、
前記取得した入力信号が含む前記情報を出力する出力部と、を備えることを特徴とする受信装置。
【請求項１１】
潜水時に携帯する情報処理装置であって、
請求項１乃至１０のいずれか１項に記載の前記送信装置および前記受信装置の少なくとも１つを含むことを特徴とする情報処理装置。
【発明の詳細な説明】
【技術分野】
【０００１】
本発明は、水中でも使用可能な無線通信システム、送信装置、受信装置および情報処理装置に関する。
【背景技術】
【０００２】
潜水中のダイバーは、他のダイバーや、地上および船上の基地局と通信して情報の交換を行ったり、自身が使用しているエアタンクのエア残量を常に把握したりして、潜水中の安全を確保している。このような外部との通信やエア残量を把握するための装置として、下記特許文献１に示すようなダイバーズ用情報処理装置が提案されている。このようなダイバーズ用情報処理装置では、海水により導通する入水監視スイッチで潜水時か非潜水時かを判定し、潜水時の通信は信号を搬送する媒体として超音波を使用し、非潜水時の通信は信号を搬送する媒体として電磁波を使用することで、使用する媒体を切替えて通信した。
【０００３】
【特許文献１】特開２００１−２７８１９２号公報
【発明の開示】
【発明が解決しようとする課題】
【０００４】
しかしながら、開示されたダイバーズ用情報処理装置は、潜水時か、否かを判定するスイッチが必要であると共に、送受信のための機能が電磁波および超音波それぞれで必要であるため、装置の小型化、軽量化および低コスト化は難しかった。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる無線通信システムは、送信装置と受信装置とを備える無線通信システムであって、送信装置は、情報を含む信号を生成して、前記信号を電磁波と超音波による同一の周波数で並行に送信し、受信装置は、前記送信装置から送信される前記電磁波と前記超音波の少なくとも１つから前記信号を抽出し、前記抽出した信号に含まれる前記情報を取得することを特徴とする。
【０００７】
このような構成によれば、送受信する信号を搬送する媒体として、電磁波と超音波を並行に用いるため、送信装置や受信装置に電磁波と超音波を切替えるための機構が不要になると共に、電磁波と超音波は同一の周波数であるため、周波数に係わる信号を送信装置や受信装置で共通に処理できる。従って、送信装置や受信装置の小型化、軽量化および低コスト化を図れる。
【０００８】
［適用例２］
上記適用例にかかる無線通信システムにおいて、前記送信装置は、生成した前記信号を２つの信号に分配し、一方の前記信号を前記電磁波で送信すると共に、他方の前記信号を前記超音波で送信し、前記受信装置は、前記電磁波で送信される一方の前記信号と、前記超音波で送信される他方の前記信号とを合成し、前記合成した信号に含まれる前記情報を取得することが好ましい。
【０００９】
このような構成によれば、送信装置および受信装置は、電磁波および超音波で送受信する少なくとも一部分を共通化できるため、送信装置や受信装置の小型化、軽量化および低コスト化を更に図れる。
【００１０】
［適用例３］
本適用例にかかる無線通信システムは、送信装置と受信装置とを備える無線通信システムであって、送信装置は、入力される情報に基づく入力信号を生成する入力部と、前記入力信号に所定の変調を施して変調信号を生成する変調部と、前記変調信号を増幅して所定の周波数を有する高周波信号を生成する送信部と、前記高周波信号を２つに分配する分配部と、前記分配した一方の高周波信号を、所定の周波数の電磁波に変換して放射するアンテナ部と、前記分配した他方の高周波信号を、前記所定の周波数の超音波に変換して放射する圧電素子部と、を備え、受信装置は、前記所定の周波数の電磁波を受けて１の高周波信号に変換するアンテナ部と、前記所定の周波数の超音波を受けて２の高周波信号に変換する圧電素子部と、前記１の高周波信号と前記２の高周波信号とを合成して合成信号を生成する合成部と、前記合成信号から変調信号を抽出する受信部と、前記抽出した変調信号を復調して前記入力信号を取得する復調部と、前記取得した入力信号が含む前記情報を出力する出力部と、を備えることを特徴とする。
【００１１】
このような構成によれば、送受信する信号を搬送する媒体として、電磁波と超音波を並行に用いるため、送信装置や受信装置に電磁波と超音波を切替えるための機構が不要になると共に、電磁波と超音波は同一の周波数であるため、周波数に係わる信号を送信装置や受信装置で共通に処理できる。従って、送信装置や受信装置の小型化、軽量化および低コスト化を図れる。
【００１２】
［適用例４］
上記適用例にかかる無線通信システムにおいて、前記分配部と前記アンテナ部との間、前記分配部と前記圧電素子部との間、前記合成部と前記アンテナ部との間および前記合成部と前記圧電素子部との間の少なくとも１つに、インピーダンスを整合する整合部を備えることが好ましい。
【００１３】
このような構成によれば、整合部を設けることによりインピーダンスを整合できることに加え、アンテナ部と圧電素子部のアイソレーションを図れる。
【００１４】
［適用例５］
上記適用例にかかる無線通信システムにおいて、前記送信装置および前記受信装置の少なくとも１つの前記アンテナ部と前記圧電素子部は、防水処理された第１の筐体に収容されても良い。
【００１５】
［適用例６］
上記適用例にかかる無線通信システムにおいて、前記第１の筐体は、前記送信装置および前記受信装置の少なくとも１つを収容する第２の筐体と連結されても良い。
【００１６】
［適用例７］
本適用例にかかる送信装置は、入力される情報に基づく入力信号を生成する入力部と、前記入力信号に所定の変調を施して変調信号を生成する変調部と、前記変調信号を増幅して高周波信号を生成する送信部と、前記高周波信号を２つに分配する分配部と、前記分配した一方の高周波信号を、所定の周波数の電磁波に変換して放射するアンテナ部と、前記分配した他方の高周波信号を、前記所定の周波数の超音波に変換して放射する圧電素子部と、を備えることを特徴とする。
【００１７】
このような構成によれば、送信する信号を搬送する媒体として、電磁波と超音波を並行に用いるため、送信装置に電磁波と超音波を切替えるための機構が不要になると共に、電磁波と超音波は同一の周波数であるため、周波数に係わる信号を送信装置で共通に処理できる。従って、送信装置の小型化、軽量化および低コスト化を図れる。
【００１８】
［適用例８］
本適用例にかかる送信装置は、入力される情報に基づく入力信号を生成する入力部と、前記入力信号に所定の変調を施して変調信号を生成する変調部と、前記変調信号を２つに分配する分配部と、前記分配した一方の変調信号を増幅して１の高周波信号を生成する電磁波送信部と、前記分配した他方の変調信号を増幅して２の高周波信号を生成する超音波送信部と、前記１の高周波信号を、所定の周波数の電磁波に変換して放射するアンテナ部と、前記２の高周波信号を、前記所定の周波数の超音波に変換して放射する圧電素子部と、を備えることを特徴とする。
【００１９】
このような構成によれば、送信する信号を搬送する媒体として、電磁波と超音波を並行に用いるため、送信装置に電磁波と超音波を切替えるための機構が不要になると共に、電磁波と超音波は同一の周波数であるため、周波数に係わる信号を送信装置で共通に処理できる。従って、送信装置の小型化、軽量化および低コスト化を図れる。
【００２０】
［適用例９］
本適用例にかかる受信装置は、入力される情報に基づいて生成された入力信号が変調され、同一の周波数で送信される電磁波と超音波のうち、前記電磁波を受けて１の高周波信号に変換するアンテナ部と、前記超音波を受けて２の高周波信号に変換する圧電素子部と、前記１の高周波信号と前記２の高周波信号とを合成して合成信号を生成する合成部と、前記合成信号から変調信号を抽出する受信部と、前記抽出した変調信号を復調して前記入力信号を取得する復調部と、前記取得した入力信号が含む前記情報を出力する出力部と、を備えることを特徴とする。
【００２１】
このような構成によれば、受信する信号を搬送する媒体として、電磁波と超音波を並行に用いるため、受信装置に電磁波と超音波を切替えるための機構が不要になると共に、電磁波と超音波は同一の周波数であるため、周波数に係わる信号を受信装置で共通に処理できる。従って、受信装置の小型化、軽量化および低コスト化を図れる。
【００２２】
［適用例１０］
本適用例にかかる受信装置は、入力される情報に基づいて生成された入力信号が変調され、同一の周波数で送信される電磁波と超音波のうち、前記電磁波を受けて１の高周波信号に変換するアンテナ部と、前記超音波を受けて２の高周波信号に変換する圧電素子部と、前記１の高周波信号から１の変調信号を抽出する電磁波受信部と、前記２の高周波信号から２の変調信号を抽出する超音波受信部と、前記１の変調信号と前記２の変調信号とを合成して合成変調信号を生成する合成部と、前記合成変調信号を復調して前記入力信号を取得する復調部と、前記取得した入力信号が含む前記情報を出力する出力部と、を備えることを特徴とする。
【００２３】
このような構成によれば、受信する信号を搬送する媒体として、電磁波と超音波を並行に用いるため、受信装置に電磁波と超音波を切替えるための機構が不要になると共に、電磁波と超音波は同一の周波数であるため、周波数に係わる信号を受信装置で共通に処理できる。従って、受信装置の小型化、軽量化および低コスト化を図れる。
【００２４】
そして、上述した送信装置および受信装置の少なくとも１つを情報処理装置に適用することにより、情報処理装置の小型化、軽量化および低コスト化を図れる。
【発明を実施するための最良の形態】
【００２５】
以下、水中でも使用可能な無線通信システムについて図面を参照して説明する。
【００２６】
（実施形態１）
図１は、本実施形態１における無線通信システム１の機能構成を示すブロック図である。この無線通信システム１は、無線送信装置１０と無線受信装置５０を備える。また、この無線通信システム１は、情報を含む信号を電磁波と超音波による同一の周波数の媒体で並行に送信すると共に、送信された２つの媒体をそれぞれ受け、２つの媒体の少なくとも１つから信号を抽出し、抽出した信号に含まれる情報を取得する機能を有する。本実施形態１では、この無線通信システム１は、本実施形態１における無線通信システムの使用例を示す図２に示すように、ダイバー５が背負うエアタンク８のエア残量に関する情報を、このエアタンク８に設置した無線送信装置１０からダイバー５が装着する無線受信装置５０に無線で知らせる用途に適用する。
最初に、無線送信装置１０について説明する。この無線送信装置１０は、データ入力部１２、変調部１４、送信部１６、分配部１８、アンテナ部２２および圧電素子部２４を備える。
データ入力部１２は、送信すべきデータが入力される。本実施形態１では、このデータ入力部１２は、エアタンク８に設置された圧力センサ（図示は略す。）により、エア残量等の情報が電気信号に変換されて入力される。入力された電気信号は、変調部１４に送られる。尚、エア残量等の情報は、所定の時間毎に入力されても良く、また、予め設定された残量を下回った場合に入力されても良い。
【００２７】
変調部１４は、データ入力部１２から送られる電気信号に応じて、所定の変調処理を施して変調信号を生成し、生成した変調信号を送信部１６に送る。尚、本実施形態１では、変調信号の周波数（ｆ１）は、５０ＫＨｚ〜２ＭＨｚであり、周波数偏移が１０ＫＨｚ〜２０ＫＨｚ程度の周波数変調方式を採用する。しかしながら、周波数偏移や変調方式は、限定されるものではない。送信部１６は、変調信号を含む高周波信号を所定の送出電力まで増幅し、増幅した高周波信号を分配部１８に送る。
分配部１８は、高周波信号をアンテナ部２２と圧電素子部２４に分配して送る。アンテナ部２２に送られる高周波信号は、周波数がｆ１の電磁波として放射され、圧電素子部２４に送られる高周波信号は、電磁波と同じ周波数ｆ１の超音波として放射される。この結果、同一の情報を含む信号は、電磁波と超音波を媒体として、同一の周波数で並行に送信される。尚、本実施形態１では、アンテナ部２２と圧電素子部２４は、防水処理された防水筐体部２０内に共に内蔵されている。
次に、無線受信装置５０について説明する。無線受信装置５０は、アンテナ部５４、圧電素子部５６、合成部５８、受信部６０、復調部６２およびデータ出力部６４を備える。
【００２８】
アンテナ部５４と圧電素子部５６は、電磁波および超音波を検出し、検出した電磁波および超音波を、それぞれ高周波信号に変換して合成部５８に送る。尚、アンテナ部５４と圧電素子部５６は、無線送信装置１０と同様に、防水処理された防水筐体部（第１の筐体）５２内に共に内蔵されている。合成部５８は、アンテナ部５４と圧電素子部５６から送られる高周波信号を合成し、合成した高周波信号を受信部６０に送る。
受信部６０は、合成部５８から送られる高周波信号の中から、無線送信装置１０から送信される電磁波および超音波と同じ周波数（ｆ１）の変調信号を抽出し、抽出した変調信号を復調部６２に送る。復調部６２は、変調信号を復調することで、変調信号に重畳された電気信号を抽出して、データ出力部６４に送る。データ出力部６４は、スピーカやヘッドフォンや振動体（何れも図示は略す。）を具備しても良く、復調部６２から送られる電気信号を音声や振動に変換してダイバー５に知らせても良い。また、データ出力部６４は、表示パネル（図示は略す。）を具備しても良く、復調部６２から送られる電気信号を画像信号に変換して表示しても良い。
【００２９】
図３は、無線受信装置５０を備えるダイバー用の情報処理装置１１０の外観を示す図である。この情報処理装置１１０は、ダイバー用のコンピュータであり、無線受信装置５０を収容する筐体部１１２（第２の筐体）と、筐体部１１２をダイバー５の腕等に装着するためのバンド部１１４を備える。この筐体部１１２の表面には、現在時刻、経過時間およびエア残量等の情報を表示する表示部１１６と、ダイバー５が情報処理装置１１０を操作するための操作ボタン１１８と、防水筐体部５２とが配置されている。本実施形態１では、筐体部１１２と防水筐体部５２は、連結されているが、分離された様態であってもよい。
上述した無線通信システム１では、無線送信装置１０や無線受信装置５０が水中にある場合は、主として超音波により通信される。また、無線送信装置１０や無線受信装置５０が陸上や水上にある場合は、主として電磁波により通信される。従って、ダイバー５が水上と水中を頻繁に移動するような場合でも、ダイバー５は、自身が背負うエアタンク８のエア残量に関する情報を知ることができる。また、無線送信装置１０の送信部１６や無線受信装置５０の受信部６０が共用できると共に、電磁波による通信と超音波による通信を切替えるための機能が不要になるため、無線送信装置１０や無線受信装置５０の小型化、軽量化および低コスト化を図れる。
【００３０】
（実施形態２）
次に、本発明の実施形態２について、図４を参照して説明する。図４は、本実施形態２における無線通信システムをトランシーバに適用した図である。尚、以下の説明では、既に説明した部分と同じ部分については、同一符号を付してその説明を省略する。本実施形態２では、無線通信システム１として、無線送信ユニット１０Ａ，１０Ｂと無線受信ユニット５０Ａ，５０Ｂをそれぞれ備え、半二重通信が可能なトランシーバ１００Ａ，１００Ｂを想定する。尚、トランシーバ１００Ａ，１００Ｂは同一の構成であるため、代表してトランシーバ１００Ａの構成を説明する。
トランシーバ１００Ａは、無線送信ユニット１０Ａ、無線受信ユニット５０Ａ、切替部２８、合成分配部１９、アンテナ部２２および圧電素子部２４を備える。また、無線送信ユニット１０Ａは、データ入力部１２、変調部１４および送信部１６を備え、無線受信ユニット５０Ａは、受信部６０、復調部６２およびデータ出力部６４を備える。本実施形態２では、データ入力部１２は、トランシーバ１００Ａを保持するダイバー５の発する音声が入力されるマイクロフォン（図示は略す。）である。従って、ダイバー５が発する音声は、電気信号に変換されて変調部１４に送られる。切替部２８は、送信と受信を切替えるためのスイッチであり、ダイバー５の操作により切替えても良く、また、ダイバー５が発する音声を検知して、送受信を自動的に切替えても良い。合成分配部１９は、送信部１６から送られる高周波信号を、アンテナ部２２と圧電素子部２４にそれぞれ分配して送ると共に、アンテナ部２２と圧電素子部２４からそれぞれ送られる高周波信号を合成する。尚、トランシーバ１００Ａ，１００Ｂは、図３に示したダイバー用の情報処理装置１１０のような様態であっても良い。
【００３１】
上述した無線通信システム１では、トランシーバ１００Ａ，１００Ｂが水中にある場合は、主として超音波により通信される。また、トランシーバ１００Ａ，１００Ｂが陸上や水上にある場合は、主として電磁波により通信される。従って、２人のダイバー５がトランシーバ１００Ａ，１００Ｂをそれぞれ保持し、陸上や水上や水中を移動するような場合でも、互いに交信できる。また、アンテナ部２２と圧電素子部２４を、無線送信ユニット１０Ａおよび無線受信ユニット５０Ａが共用するため、トランシーバ１００Ａ，１００Ｂの小型化、軽量化および低コスト化を図れる。
【００３２】
（実施形態３）
次に、本発明の実施形態３について、図５を参照して説明する。図５は、本実施形態３における無線通信システムの機能構成を示すブロック図である。実施形態１では、無線送信装置１０において、分配部１８で分配された高周波信号は、アンテナ部２２および圧電素子部２４に入力された。また、無線受信装置５０において、アンテナ部５４と圧電素子部５６から出力される高周波信号は、合成部５８に出力された。本実施形態３では、無線送信装置１０において、分配部１８とアンテナ部２２の間に整合部１（２１）を設けると共に、分配部１８と圧電素子部２４の間に整合部２（２３）を設ける。また、無線受信装置５０において、合成部５８とアンテナ部５４の間に整合部３（５３）を設けると共に、合成部５８と圧電素子部５６の間に整合部４（５５）を設ける。これらの整合部１（２１）〜整合部４（５５）は、送信部１６とアンテナ部２２および圧電素子部２４とのインピーダンスを整合できることに加え、アンテナ部（２２，５４）と圧電素子部（２４，５６）間のアイソレーションの向上を図れる。更に、実施形態１と同様な効果を得ることができる。尚、本実施形態３では、整合部１（２１）〜整合部４（５５）を設けたが、アンテナ部（２２，５４）と圧電素子部（２４，５６）の何れか一方のみに設けても良く、また、無線送信装置１０および無線受信装置５０の何れか一方のみに設けても良い。
【００３３】
（実施形態４）
次に、本発明の実施形態４について、図６を参照して説明する。図６は、本実施形態４における無線通信システムの機能構成を示すブロック図である。実施形態１〜実施形態３では、送信部１６と受信部６０は、電磁波および超音波に対して共用であった。この実施形態４では、無線送信装置１０は、電磁波送信部１５と超音波送信部１７を備え、無線受信装置５０は、電磁波受信部５９と超音波受信部６１を備えることで、電磁波および超音波をそれぞれ別々に送受信する。このような構成により、実施形態１と同様な効果に加え、送信信号のレベルを、電磁波および超音波のそれぞれ別々に設定できる。更に、受信信号の増幅度を、電磁波および超音波のそれぞれ別々に適切な設定ができる。
【００３４】
本発明の実施形態について、図面を参照して説明したが、具体的な構成は、この実施形態に限られるものではなく、本発明の要旨を逸脱しない範囲の設計変更等も含まれる。
【図面の簡単な説明】
【００３５】
【図１】本実施形態１における無線通信システムの機能構成を示すブロック図。
【図２】本実施形態１における無線通信システムの使用例を示す図。
【図３】本実施形態１におけるダイバー用の情報処理装置の外観を示す図。
【図４】本実施形態２における無線通信システムをトランシーバに適用した図。
【図５】本実施形態３における無線通信システムの機能構成を示すブロック図。
【図６】本実施形態４における無線通信システムの機能構成を示すブロック図。
【符号の説明】
【００３６】
１…無線通信システム、５…ダイバー、８…エアタンク、１０…無線送信装置、１０Ａ…無線送信ユニット、１２…データ入力部、１４…変調部、１５…電磁波送信部、１６…送信部、１７…超音波送信部、１８…分配部、１９…合成分配部、２０…防水筐体部、２２…アンテナ部、２４…圧電素子部、２８…切替部、５０…無線受信装置、５０Ａ…無線受信ユニット、５２…防水筐体部、５４…アンテナ部、５６…圧電素子部、５８…合成部、５９…電磁波受信部、６０…受信部、６１…超音波受信部、６２…復調部、６４…データ出力部、１００Ａ，１００Ｂ…トランシーバ、１１０…情報処理装置、１１２…筐体部、１１４…バンド部、１１６…表示部、１１８…操作ボタン。
【図１】
2009225423.tif 000003
【図２】
2009225423.tif 000004
【図３】
2009225423.tif 000005
【図４】
2009225423.tif 000006
【図５】
2009225423.tif 000007
【図６】
2009225423.tif 000008